(57)【要約】【課題】操作画面の画面要素を拡大表示するときの利便性を向上させる。【解決手段】表示入力装置は、予め複数の画面部分に区分けされた操作画面を表示し、操作画面に対するタッチ操作をユーザーから受け付けるタッチスクリーンと、操作画面の複数の画面部分のうち拡大可能な画面部分として予め設定された拡大対応部分に対して、予め定められたタッチ操作である拡大操作が行われたことを検知すると、拡大操作が行われた拡大対応部分を対象部分と認識し、初期サイズよりも大きいサイズに拡大した対象部分をタッチスクリーンに表示させる制御部と、を備える。【選択図】図５
2020181304.tif 000002
【特許請求の範囲】
【請求項１】
予め複数の画面部分に区分けされた操作画面を表示し、前記操作画面に対するタッチ操作をユーザーから受け付けるタッチスクリーンと、
前記操作画面の複数の前記画面部分のうち拡大可能な前記画面部分として予め設定された拡大対応部分に対して、予め定められた前記タッチ操作である拡大操作が行われたことを検知すると、前記拡大操作が行われた前記拡大対応部分を対象部分と認識し、初期サイズよりも大きいサイズに拡大した前記対象部分を前記タッチスクリーンに表示させる制御部と、を備えることを特徴とする表示入力装置。
【請求項２】
前記拡大対応部分に対応する拡大表示領域を前記拡大対応部分ごとに定義した領域情報を記憶する記憶部を備え、
前記制御部は、前記対象部分に対応する前記拡大表示領域を対象表示領域と認識し、拡大した前記対象部分を前記対象表示領域に表示させることを特徴とする請求項１に記載の表示入力装置。
【請求項３】
前記拡大対応部分は、縦方向に平行な一対の辺および前記縦方向と直交する横方向に平行な一対の辺を有する矩形状であり、
前記拡大表示領域は、対応する前記拡大対応部分よりも大きい面積を有する領域であるとともに、対応する前記拡大対応部分の拡大前の表示領域の前記縦方向に平行な１辺と重畳する辺および対応する前記拡大対応部分の拡大前の表示領域の前記横方向に平行な１辺と重畳する辺を有する矩形状の領域であることを特徴とする請求項２に記載の表示入力装置。
【請求項４】
前記対象部分の縦横比と前記対象表示領域の縦横比とが同じ場合、
前記制御部は、前記縦方向の幅が前記対象表示領域の前記縦方向の幅と同じとなり、かつ、前記横方向の幅が前記対象表示領域の前記横方向の幅と同じとなるよう拡大した前記対象部分の全部を前記対象表示領域に表示させることを特徴とする請求項３に記載の表示入力装置。
【請求項５】
前記対象部分の縦横比と前記対象表示領域の縦横比とが異なる場合、
前記制御部は、前記対象部分の縦横比を変えることなく、前記縦方向および前記横方向のうち第１方向の幅が前記対象表示領域の前記第１方向の幅と同じとなり、かつ、前記縦方向および前記横方向のうち前記第１方向とは別の第２方向の幅が前記対象表示領域の前記第２方向の幅よりも大きくなるよう拡大した前記対象部分の一部を前記対象表示領域に表示させることを特徴とする請求項３または４に記載の表示入力装置。
【請求項６】
前記対象部分の縦横比と前記対象表示領域の縦横比とが異なる場合、
前記制御部は、拡大した前記対象部分の前記第２方向に平行な一対の辺をそれぞれ前記対象表示領域の前記第２方向に平行な一対の辺と重畳させ、拡大した前記対象部分のうち前記対象表示領域からはみ出る部分を非表示にさせることを特徴とする請求項５に記載の表示入力装置。
【請求項７】
前記対象部分の縦横比と前記対象表示領域の縦横比とが異なる場合、
前記制御部は、前記対象部分のうち前記拡大操作でタッチされたタッチ部分を認識し、拡大した前記対象部分のうち少なくとも前記タッチ部分を前記対象表示領域に表示させることを特徴とする請求項６に記載の表示入力装置。
【請求項８】
前記対象部分の縦横比と前記対象表示領域の縦横比とが異なる場合、
前記制御部は、拡大した前記対象部分をタッチしたままタッチ位置を移動させる前記タッチ操作であるスクロール操作の受け付けを前記タッチスクリーンに行わせ、前記スクロール操作が行われたことを検知すると、拡大した前記対象部分をスクロールするスクロール処理を前記タッチスクリーンに行わせることを特徴とする請求項６または７に記載の表示入力装置。
【請求項９】
前記制御部は、拡大した前記対象部分を前記タッチスクリーンに表示させるとき、前記対象部分を徐々に拡大させることを特徴とする請求項１〜８のいずれか１項に記載の表示入力装置。
【請求項１０】
前記制御部は、前記対象部分に対応するユニバーサルデザインモード用画面が存在する場合、前記ユニバーサルデザインモード用画面が存在することを示す報知情報を前記タッチスクリーンに表示させることを特徴とする請求項１〜９のいずれか１項に記載の表示入力装置。
【請求項１１】
請求項１〜１０のいずれか１項に記載の表示入力装置を備えることを特徴とする画像形成装置。
【発明の詳細な説明】
【技術分野】
【０００１】
本発明は、表示入力装置および画像形成装置に関する。
【背景技術】
【０００２】
画像形成装置は、ジョブに関する設定操作をユーザーから受け付け、設定操作で設定された設定内容に基づきジョブを実行する。このような画像形成装置には、ユーザーから設定操作を受け付けるため、表示入力装置が設けられる（たとえば、特許文献１参照）。
【０００３】
特許文献１の表示入力装置は、設定操作を受け付けるとき、設定操作を受け付けるための操作画面を表示する。操作画面は、ソフトウェアボタンおよびテキスト画像などの画面要素を複数含む。
【０００４】
ここで、特許文献１の表示入力装置は、操作画面の画面要素を拡大表示することが可能である。具体的には、操作画面の表示中、ユーザーが操作画面に対して拡大鏡を表示させる操作を行うと、当該操作の操作位置を包含する領域内の画面要素が拡大元に設定される。そして、拡大元の画面要素（ソフトウェアボタンなど）が拡大表示される。たとえば、ソフトウェアボタンに付されたテキスト画像（ソフトウェアボタンの機能を示す画像）を拡大表示することができる。
【先行技術文献】
【特許文献】
【０００５】
【特許文献１】特開２０１５−２００９７７号公報
【発明の概要】
【発明が解決しようとする課題】
【０００６】
ユーザーによっては、複数のソフトウェアボタン（ソフトウェアボタンに付されたテキスト画像）を一括して拡大表示したい場合がある。複数のソフトウェアボタンが一括して拡大表示されると、所望のソフトウェアボタンを見つけ易い。
【０００７】
しかし、特許文献１の構成では、操作画面内の或るソフトウェアボタン（画面要素）が拡大表示されているとき、操作画面内の別のソフトウェアボタンは拡大表示されない。現在拡大表示されているソフトウェアボタンとは別のソフトウェアボタンを拡大表示するには、当該別のソフトウェアボタンに操作位置を合わせる必要がある。したがって、ユーザーにとっては利便性が悪い。
【０００８】
なお、表示入力装置には、表示モードとして、通常モードおよびユニバーサルデザインモードを搭載するものがある。ユニバーサルデザインモードを搭載する表示入力装置は、表示モードが通常モードであれば、所定数のソフトウェアボタンを配した操作画面を表示する。一方で、表示モードがユニバーサルデザインモードのときには、所定数よりも少数のソフトウェアボタンだけを配した操作画面が表示される。ただし、表示モードがユニバーサルデザインモードのときには、各ソフトウェアボタンのサイズが通常モードのときよりも大きいサイズに拡大される。
【０００９】
表示入力装置にユニバーサルデザインモードが搭載されていれば、操作画面に配されるソフトウェアボタンのサイズを大きくすることができるので、操作性が向上する。しかし、表示モードがユニバーサルデザインモードのときには、１画面に配されるソフトウェアボタンの個数が制限されるので、表示中の操作画面にユーザー所望のソフトウェアボタンが配されていない状態になり得る。この場合には、表示中の画面を別の画面（ユーザー所望のソフトウェアボタンが配された画面）に切り替える操作などを行う必要がある。したがって、ユーザーにとっては利便性が悪い。
【００１０】
本発明は、上記課題を解決するためになされたものであり、操作画面の画面要素を拡大表示するときの利便性を向上させることが可能な表示入力装置および画像形成装置を提供することを目的とする。
【課題を解決するための手段】
【００１１】
上記目的を達成するため、本発明の第１の局面による表示入力装置は、予め複数の画面部分に区分けされた操作画面を表示し、操作画面に対するタッチ操作をユーザーから受け付けるタッチスクリーンと、操作画面の複数の画面部分のうち拡大可能な画面部分として予め設定された拡大対応部分に対して、予め定められたタッチ操作である拡大操作が行われたことを検知すると、拡大操作が行われた拡大対応部分を対象部分と認識し、初期サイズよりも大きいサイズに拡大した対象部分をタッチスクリーンに表示させる制御部と、を備える。
【００１２】
本発明の第２の局面による画像形成装置は、上記表示入力装置を備える。
【発明の効果】
【００１３】
本発明の構成では、操作画面の画面要素を拡大表示するときの利便性を向上させることができる。
【図面の簡単な説明】
【００１４】
【図１】本発明の一実施形態による操作パネルを備えた画像形成装置の構成を示す図
【図２】本発明の一実施形態による操作パネルの構成を示す図
【図３】本発明の一実施形態による操作パネルが表示する操作画面を示す図
【図４】本発明の一実施形態による操作パネルが表示する操作画面を示す図
【図５】本発明の一実施形態による操作パネルが対象部分を拡大するときの画面遷移を示す図
【図６】本発明の一実施形態による操作パネルが対象部分を拡大するときの画面遷移を示す図
【図７】本発明の一実施形態による操作パネルが対象部分を拡大するときの画面遷移を示す図
【図８】本発明の一実施形態による操作パネルが対象部分を拡大するときの画面遷移を示す図
【図９】本発明の一実施形態による操作パネルが対象部分を拡大するときの画面遷移を示す図
【図１０】本発明の一実施形態による操作パネルが行う拡大処理の流れを示すフローチャート
【図１１】本発明の一実施形態による操作パネルが表示する対象部分の対象表示領域内での位置について説明するための図
【図１２】本発明の一実施形態による操作パネルが表示する対象部分の対象表示領域内での位置について説明するための図
【図１３】本発明の一実施形態による操作パネルが表示する対象部分の対象表示領域内での位置について説明するための図
【図１４】本発明の一実施形態による操作パネルが行うスクロール処理について説明するための図
【図１５】本発明の一実施形態による操作パネルが表示するユニバーサルデザインモード用画面を示す図
【図１６】本発明の一実施形態による操作パネルが表示する報知情報を示す図
【発明を実施するための形態】
【００１５】
＜画像形成装置の構成＞
図１に示すように、本実施形態の画像形成装置１００は、画像読取部１と印刷部２とを備える。画像読取部１は、原稿を読み取って原稿の画像データを生成する。印刷部２は、画像データ（たとえば、画像読取部１による原稿の読み取りによって得られた原稿の画像データ）に基づく画像を用紙に印刷する。
【００１６】
また、画像形成装置１００は、図２に示すような操作パネル３を備える。操作パネル３は、「表示入力装置」に相当する。
【００１７】
操作パネル３は、タッチスクリーン３０を備える。タッチスクリーン３０は、表示パネル３０１およびタッチパネル３０２を含む。表示パネル３０１は、液晶表示パネルであってもよいし、有機ＥＬ表示パネルであってもよい。タッチパネル３０２は、表示パネル３０１の表面上に配置される。
【００１８】
タッチスクリーン３０は、表示パネル３０１に種々の画面を表示する。また、タッチスクリーン３０は、タッチパネル３０２を介して、表示中の画面をタッチするタッチ操作をユーザーから受け付ける。表示中の画面に対してタッチ操作を行うとき、ユーザーはタッチスクリーン３０に接触体を接触させる。指およびタッチペンなどが接触体になり得る。
【００１９】
図１に戻り、画像形成装置１００は、主制御部１１０を備える。主制御部１１０は、画像形成装置１００を制御する。
【００２０】
また、画像形成装置１００は、通信部１２０を備える。通信部１２０は、ＬＡＮなどのネットワークを介して、外部機器に接続される。主制御部１１０は、通信部１２０を用いて、外部機器にデータを送信する。
【００２１】
操作パネル３は、パネル制御部３１およびパネル記憶部３２を備える。パネル制御部３１は、「制御部」に相当する。パネル記憶部３２は、「記憶部」に相当する。パネル制御部３１は、ＣＰＵを含む。パネル制御部３１は、制御プログラムおよび制御データに基づき、種々の処理を行う。パネル記憶部３２は、ＲＯＭおよびＲＡＭなどの記憶デバイスを含む。パネル記憶部３２は、制御プログラムおよび制御データを記憶する。
【００２２】
パネル制御部３１は、主制御部１１０に接続される。パネル制御部３１は、主制御部１１０から指示を受け、タッチスクリーン３０の表示動作を制御する。また、パネル制御部３１は、タッチスクリーン３０に接触体が接触するとタッチスクリーン３０から出力される電圧信号に基づき、タッチスクリーン３０に対する接触体の接触位置、当該接触位置の移動軌跡（移動方向）、および、タッチスクリーン３０に接触体が接触してから接触体が離されるまでの接触時間などの検知を行う。当該検知の結果に基づき、パネル制御部３１は、タッチスクリーン３０に対してどのようなタッチ操作が行われたかを判断する。パネル制御部３１は、タッチスクリーン３０に対して行われたタッチ操作を示す操作信号を主制御部１１０に送信する。
【００２３】
＜拡大処理＞
タッチスクリーン３０は、画面内の一部（画面部分）だけを拡大することが可能な操作画面４００（図３および図４参照）を表示する。たとえば、送信設定画面（図３参照）および宛先設定画面（図４参照）などが操作画面４００に相当する。ここで挙げた操作画面４００は一例であり、画面内の一部だけを拡大することが可能な操作画面４００は他にも種々ある。以下の説明では、区別する必要がある場合、図３に示す操作画面４００に符号４０１を付し、図４に示す操作画面４００に符号４０２を付す。
【００２４】
操作画面４００は、予め複数の画面部分に区分けされる。操作画面４００の複数の画面部分は、それぞれ、操作画面４００の画面要素を含む。ソフトウェアボタン、テキスト画像および背景画像などが画面要素に相当する。
【００２５】
操作画面４００の複数の画面部分には、拡大可能な画面部分として予め設定された拡大対応部分が含まれる。すなわち、操作画面４００の複数の画面部分は、拡大対応部分とそれ以外の画面部分とに分類される。以下、拡大対応部分に符号４０を付して説明する。
【００２６】
拡大対応部分４０は、縦方向（タッチスクリーン３０の表示画面の上下方向）に平行な一対の辺および縦方向と直交する横方向（タッチスクリーン３０の表示画面の左右方向）に平行な一対の辺を有する矩形状である。或る拡大対応部分４０の１辺と当該拡大対応部分４０に隣接する他の拡大可能部分４０の１辺とが重なっていてもよい。図３および図４では、便宜上、拡大対応部分４０を太線で囲む（実際には太線は表示されない）。
【００２７】
なお、操作画面４００の複数の画面部分のうち、拡大対応部分４０に設定される画面部分の個数については特に限定されない。操作画面４００の複数の画面部分のうち、２つ以上が拡大対応部分４０に設定されてもよい（全ての画面部分が拡大部分４０に設定されてもよい）。また、操作画面４００の複数の画面部分のうち１つだけが拡大対応部分４０に設定されてもよい。
【００２８】
たとえば、操作画面４０１（図３参照）では、複数の画面部分のうち４つの画面部分が拡大対応部分４０に設定される。すなわち、操作画面４０１は、４つの拡大対応部分４０を含む。以下の説明では、区別する必要がある場合、操作画面４０１の４の拡大対応部分４０にそれぞれ、符号４１、４２、４３および４４を付す。
【００２９】
拡大対応部分４１は、画面要素として、ファイル形式の設定を受け付けるソフトウェアボタンを複数含む。拡大対応部分４２は、画面要素として、ジョブに関する設定値（原稿サイズなど）の設定を受け付けるソフトウェアボタンを複数含む。拡大対応部分４３は、画面要素として、登録機能の呼び出し指示を受け付けるソフトウェアボタン（ショートカットキー）を複数含む。拡大対応部分４４は、画面要素として、設定項目の切り替え指示を受け付けるソフトウェアボタン（タブキー）を複数含む。
【００３０】
操作画面４０１の複数の画面部分のうち、操作画面４０１の上側の部分であるヘッダー部分ＨＤは拡大対応部分４０ではない。また、操作画面４００の複数の画面部分のうち、プレビュー機能（送信イメージを表示する機能）に関する画面要素を含む部分であるプレビュー部分ＰＶは拡大対応部分４０ではない。
【００３１】
パネル制御部３１は、操作画面４００の表示中、予め定められたタッチ操作である拡大操作が行われたか否かを判断する。たとえば、パネル制御部３１は、拡大対応部分４０の表示領域を長押しするタッチ操作を拡大操作として検知する。拡大対応部分４０の表示領域に接触体を接触させてから、所定時間（たとえば、２〜３秒）が経過するまで、拡大対応部分４０の表示領域に接触体を接触させ続けるタッチ操作を行うと、当該行ったタッチ操作が拡大操作として受け付けられる。
【００３２】
たとえば、操作画面４０１（図３参照）では、４つの拡大対応部分４０のいずれかの表示領域に対して長押し操作（タッチ操作）を行うことにより、当該行った長押し操作が拡大操作として受け付けられる。仮に、操作画面４０１のうち拡大対応部分４０から外れた部分（ヘッダー部分ＨＤおよびプレビュー部分ＰＶ）に対して長押し操作を行っても、当該行った長押し操作は拡大操作として受け付けられない。
【００３３】
パネル制御部３１は、タッチスクリーン３０に対して拡大操作が行われたことを検知すると、拡大操作が行われた拡大対応部分４０を対象部分と認識する。そして、パネル制御部３１は、対象部分と認識した拡大対応部分４０（以下、対象部分４０と称する）を拡大する拡大処理を行う。言い換えると、パネル制御部３１は、対象部分４０の拡大表示をタッチスクリーン３０に行わせる。
【００３４】
対象部分４０の拡大表示を行うとき、パネル制御部３１は、初期サイズ（拡大前のサイズ）よりも大きいサイズに拡大された対象部分４０の全部または一部をタッチスクリーン３０に表示させる。これにより、対象部分４０に含まれる画面要素（ソフトウェアボタンなど）のサイズが初期サイズよりも大きいサイズに拡大される。このとき、パネル制御部３１は、対象部分４０以外の拡大可能部分４０については拡大表示を行わせない。また、パネル制御部３１は、拡大可能部分４０以外の画面部分についても拡大表示を行わせない。パネル制御部３１は、対象部分４０の拡大表示だけを行わせる。すなわち、タッチスクリーン４０による拡大表示では、拡大対応部分４０の拡大が画面部分単位で行われる。
【００３５】
ここで、拡大対応部分４０に対応する拡大表示領域５０（図５〜図９の各上図参照）が拡大対応部分４０ごとに予め定義される。拡大表示領域５０を定義した領域情報３３（図１参照）は、予めパネル記憶部３２に記憶される。
【００３６】
図５および図６の各上図には、それぞれ、操作画面４０１の拡大対応部分４１に対応する拡大表示領域５０（以下、符号５１を付して説明する場合がある）を示す。図７上図には、操作画面４０１の拡大対応部分４３に対応する拡大表示領域５０（以下、符号５３を付して説明する場合がある）を示す。図８上図には、操作画面４０１の拡大対応部分４４に対応する拡大表示領域５０（以下、符号５４を付して説明する場合がある）を示す。図示しないが、操作画面４０１の拡大対応部分４２に対応する拡大表示領域５０も予め定義される。図５〜図８の各上図では、便宜上、拡大表示領域５０を破線で囲む（実際には破線は表示されない）。
【００３７】
また、図９上図には、操作画面４０２の拡大対応部分４０に対応する拡大表示領域５０を示す。図９では、便宜上、拡大表示領域５０を破線で囲む（実際には破線は表示されない）。以下、操作画面４０２の拡大対応部分４０に符号４５を付し、操作画面４０２の拡大対応部分４０に対応する拡大表示領域５０に符号５５を付して説明する場合がある。
【００３８】
領域情報３３では、拡大対応部分４０ごとに、拡大表示領域５０の縦方向の幅および横方向の幅が定義される。また、領域情報３３では、拡大対応部分４０ごとに、拡大表示領域５０の操作画面４００内での位置が定義される。
【００３９】
具体的には、拡大表示領域５０は、対応する拡大対応部分４０よりも大きい面積を有する。すなわち、拡大表示領域５０の縦方向の幅および横方向の幅は、拡大表示領域５０の面積が対応する拡大対応部分４０の面積よりも大きくなるよう定義される。
【００４０】
また、拡大表示領域５０は、対応する拡大対応部分４０の拡大前の表示領域（図５〜図９の各上図の太線で囲まれた矩形状の領域）の縦方向に平行な１辺と重畳する辺および対応する拡大可能部分４０の拡大前の表示領域の横方向に平行な１辺と重畳する辺を有する矩形状の領域である。すなわち、拡大表示領域５０の操作画面４００内での位置は、拡大表示領域５０の縦方向に平行な１辺が対応する拡大対応部分４０の縦方向に平行な１辺と重畳し、かつ、拡大表示領域５０の横方向に平行な１辺が対応する拡大対応部分４０の横方向に平行な１辺と重畳するよう定義される。
【００４１】
パネル制御部３１は、タッチスクリーン３０に拡大表示を行わせるとき、対象部分４０に対応する拡大表示領域５０を対象表示領域と認識する。そして、パネル制御部３１は、対象表示領域と認識した拡大表示領域５０（以下、対象表示領域５０と称する）に、拡大した対象部分４０を表示させる。
【００４２】
以下に、図１０に示すフローチャートを参照し、パネル制御部３１が行う拡大処理の流れについて説明する。図１０に示すフローチャートは、タッチスクリーン３０が操作画面４００を表示して以降、タッチスクリーン３０に対して拡大操作が行われたことをパネル制御部３１が検知したときにスタートする。拡大操作が行われたことを検知すると、パネル制御部３１は、対象部分４０を認識するとともに、対象表示領域５０を認識する。
【００４３】
ステップＳ１において、パネル制御部３１は、対象部分４０の縦横比と対象表示領域５０の縦横比とが同じであるか否かを判断する。ここで、拡大表示領域５０の縦方向の幅および横方向の幅は予め定義されている。すなわち、拡大表示領域５０の縦横比は予め決まっている。そこで、縦横比情報が予めパネル記憶部３２に記憶されていてもよい。縦横比情報は、拡大対応部分４０の縦横比と対応する対象表示領域５０の縦横比とが同じであるか否かを拡大対応部分４０ごとに示す情報である。このような縦横比情報がパネル記憶部３２に記憶されている場合、パネル制御部３１は、縦横比情報に基づき、対象部分４０の縦横比と対象表示領域５０の縦横比とが同じであるか否かを判断する。
【００４４】
ステップＳ１において、対象部分４０の縦横比と対象表示領域５０の縦横比とが同じであるとパネル制御３１が判断した場合には、ステップＳ２に移行する。一方で、対象部分４０の縦横比と対象表示領域５０の縦横比とが異なるとパネル制御３１が判断した場合には、ステップＳ３に移行する。
【００４５】
ステップＳ２に移行すると、パネル制御部３１は、縦方向の幅が対象表示領域５０の縦方向の幅と同じとなり、かつ、横方向の幅が対象表示領域５０の横方向の幅と同じとなるよう拡大した対象部分４０の全部を対象表示領域５０に表示させる。なお、対象部分４０の縦横比は、対象表示領域５０の縦横比と同じである。したがって、縦方向の幅が対象表示領域５０の縦方向の幅と同じとなり、かつ、横方向の幅が対象表示領域５０の横方向の幅と同じとなるよう対象部分４０を拡大すれば、対象部分４０の縦横比は拡大前後で変化しない。
【００４６】
ここで、対象部分４０の縦横比と対象表示表域５０の縦横比とが同じ場合、パネル制御部３１は、拡大した対象部分４０の縦方向に平行な一対の辺をそれぞれ対象表示領域５０の縦方向に平行な一対の辺と重畳させ、拡大した対象部分４０の横方向に平行な一対の辺をそれぞれ対象表示領域５０の横方向に平行な一対の辺と重畳させる。これにより、拡大後の対象部分４０の全部を対象表示領域５０に表示させることができる。
【００４７】
たとえば、図５上図に示す例では、拡大対応部分４１の縦横比と拡大表示領域５１の縦横比とが同じである。したがって、この例において、拡大対応部分４１が対象部分である場合には、図５下図に示すような拡大表示が行われる。すなわち、拡大後の拡大対応部分４１の全部が拡大表示領域５１に表示される。
【００４８】
図１０に戻り、ステップＳ１からステップＳ３に移行すると、パネル制御部３１は、拡大した対象部分４０の一部を対象表示領域５０に表示させる。以下に具体的に説明する。
【００４９】
対象部分４０の縦横比と対象表示領域５０の縦横比とが異なる場合、パネル制御部３１は、対象部分４０の縦横比を変えることなく、縦方向および横方向のうち第１方向の幅が対象表示領域５０の第１方向の幅と同じとなり、かつ、縦方向および横方向のうち第１方向とは別の第２方向の幅が対象表示領域５０の第２方向の幅よりも大きくなるよう対象部分４０を拡大する。すなわち、パネル制御部３１は、対象部分４０の縦横比を変えることなく、対象部分４０の面積が対象表示領域５０の面積よりも大きくなるよう対象部分４０を拡大する。
【００５０】
そして、パネル制御部３１は、拡大した対象部分４０をタッチスクリーン３０に表示させる。ここで、対象部分４０の拡大後の面積は、対象表示領域５０の面積よりも大きい。このため、パネル制御部３１は、拡大した対象部分４０の一部だけを対象表示領域５０に表示させる。すなわち、パネル制御部３１は、拡大した対象部分４０のうち対象表示領域５０からはみ出る部分を非表示にさせる。また、パネル制御部３１は、拡大した対象部分４０の第２方向に平行な一対の辺をそれぞれ対象表示領域５０の第２方向に平行な一対の辺と重畳させる。
【００５１】
たとえば、図６上図に示す例では、拡大対応部分４１の縦横比と拡大表示領域５１の縦横比とが異なる。この例において、拡大対応部分４１の縦横比を変えることなく、拡大対応部分４１の横方向の幅と拡大表示領域５１の横方向の幅とが同じとなるよう拡大対応部分４１を拡大しても、拡大対応部分４１の拡大後の面積は拡大表示領域５１の面積よりも大きくならない。一方で、拡大対応部分４１の縦横比を変えることなく、拡大対応部分４１の縦方向の幅と拡大表示領域５１の縦方向の幅とが同じとなるよう拡大対応部分４１を拡大すると、拡大対応部分４１の拡大後の面積が拡大表示領域５１の面積よりも大きくなる。
【００５２】
したがって、図６上図の破線で囲む領域が拡大表示領域５１として定義された例において、拡大対応部分４１が対象部分である場合、パネル制御部３１は、縦方向を第１方向に設定する（横方向を第２方向に設定する）。すなわち、パネル制御部３１は、拡大対応部分４１の縦横比を変えることなく、拡大対応部分４１の縦方向の幅と拡大表示領域５１の縦方向の幅とが同じとなるよう拡大対応部分４１を拡大する。そして、パネル制御部３１は、拡大した拡大対応部分４１をタッチスクリーン３０に表示させる。
【００５３】
タッチスクリーン３０は、拡大後の拡大対応部分４１の一部を拡大表示領域５１に表示する。このとき、タッチスクリーン３０は、拡大後の拡大対応部分４１の横方向に平行な一対の辺をそれぞれ拡大表示領域５１の横方向に平行な一対の辺と重畳させる。また、タッチスクリーン３０は、拡大後の拡大対応部分４１のうち拡大表示領域５１からはみ出る部分を非表示とする。拡大後の拡大対応部分４１が表示された状態を図６下図に示す。
【００５４】
また、図７上図の破線で囲む領域が拡大表示領域５３として定義された例において、拡大対応部分４３が対象部分である場合、パネル制御部３１は、横方向を第１方向に設定する（縦方向を第２方向に設定する）。すなわち、パネル制御部３１は、拡大対応部分４３の縦横比を変えることなく、拡大対応部分４３の横方向の幅と拡大表示領域５３の横方向の幅とが同じとなるよう拡大対応部分４３を拡大する。そして、パネル制御部３１は、拡大した拡大対応部分４３をタッチスクリーン３０に表示させる。
【００５５】
タッチスクリーン３０は、拡大後の拡大対応部分４３の一部を拡大表示領域５３に表示する。このとき、タッチスクリーン３０は、拡大後の拡大対応部分４３の縦方向に平行な一対の辺をそれぞれ拡大表示領域５３の縦方向に平行な一対の辺と重畳させる。また、タッチスクリーン３０は、拡大後の拡大対応部分４３のうち拡大表示領域５３からはみ出る部分を非表示とする。拡大後の拡大対応部分４３が表示された状態を図７下図に示す。
【００５６】
また、図８上図の破線で囲む領域が拡大表示領域５４として定義された例において、拡大対応部分４４が対象部分である場合、パネル制御部３１は、縦方向を第１方向に設定する（横方向を第２方向に設定する）。すなわち、パネル制御部３１は、拡大対応部分４４の縦横比を変えることなく、拡大対応部分４４の縦方向の幅と拡大表示領域５４の縦方向の幅とが同じとなるよう拡大対応部分４４を拡大する。そして、パネル制御部３１は、拡大した拡大対応部分４４をタッチスクリーン３０に表示させる。
【００５７】
タッチスクリーン３０は、拡大後の拡大対応部分４４の一部を拡大表示領域５４に表示する。このとき、タッチスクリーン３０は、拡大後の拡大対応部分４４の横方向に平行な一対の辺をそれぞれ拡大表示領域５４の横方向に平行な一対の辺と重畳させる。また、タッチスクリーン３０は、拡大後の拡大対応部分４４のうち拡大表示領域５４からはみ出る部分を非表示とする。拡大後の拡大対応部分４４が表示された状態を図８下図に示す。
【００５８】
また、図９上図の破線で囲む領域が拡大表示領域５５として定義された例において、拡大対応部分４５が対象部分である場合、パネル制御部３１は、縦方向を第１方向に設定する（横方向を第２方向に設定する）。すなわち、パネル制御部３１は、拡大対応部分４５の縦横比を変えることなく、拡大対応部分４５の縦方向の幅と拡大表示領域５５の縦方向の幅とが同じとなるよう拡大対応部分４５を拡大する。そして、パネル制御部３１は、拡大した拡大対応部分４５をタッチスクリーン３０に表示させる。
【００５９】
タッチスクリーン３０は、拡大後の拡大対応部分４５の一部を拡大表示領域５５に表示する。このとき、タッチスクリーン３０は、拡大後の拡大対応部分４５の横方向に平行な一対の辺をそれぞれ拡大表示領域５５の横方向に平行な一対の辺と重畳させる。また、タッチスクリーン３０は、拡大後の拡大対応部分４５のうち拡大表示領域５５からはみ出る部分を非表示とする。拡大後の拡大対応部分４５が表示された状態を図９下図に示す。
【００６０】
ここで、対象部分４０の縦横比と対象表示表域５０の縦横比とが異なる場合、パネル制御部３１は、拡大した対象部分４０のうち対象表示領域５０に表示する部分（拡大操作が行われた直後に表示する部分）を設定する。以下に具体的に説明する。
【００６１】
拡大操作が行われたことを検知すると、パネル制御部３１は、対象部分４０のうち拡大操作でタッチされたタッチ部分を認識する。言い換えると、パネル制御部３１は、対象部分４０のうち拡大操作でタッチされた画面要素（ソフトウェアボタンなど）を認識する。そして、パネル制御部３１は、拡大した対象部分４０のうち少なくともタッチ部分（タッチされた画面要素）を対象表示領域５０に表示させる。たとえば、パネル制御部３１は、拡大前の表示領域に対するタッチ部分の相対的な位置（第２方向の位置）と対象表示領域５０に対するタッチ部分の相対的な位置（第２方向の位置）とを合わせる。
【００６２】
たとえば、図１１上図に示すように、拡大対応部分４１のうち「Ｆｏｒｍａｔ１」というソフトウェアボタン（ここでは、第１ボタンと称する）の表示領域に対して拡大操作が行われたとする。図１１上図では、拡大操作のタッチ位置を白丸で示す。ここで、拡大対応部分４１の拡大前の時点では、拡大前の表示領域のうち横方向（第２方向）の一方側（左側）の位置に第１ボタンが表示されている。この場合、拡大対応部分４１の拡大表示が行われると、図１１下図に示すように、第１ボタンの表示位置が対象表示領域５１内の横方向の前記一方側となるように、拡大後の拡大対応部分４１が拡大表示領域５１に表示される。
【００６３】
また、図１２上図に示すように、拡大対応部分４１のうち「Ｆｏｒｍａｔ２」というソフトウェアボタン（ここでば、第２ボタンと称する）の表示領域に対して拡大操作が行われたとする。図１２上図では、拡大操作のタッチ位置を白丸で示す。ここで、拡大対応部分４１の拡大前の時点では、拡大前の表示領域のうち横方向の中央の位置に第２ボタンが表示されている。この場合、拡大対応部分４１の拡大表示が行われると、図１２下図に示すように、第２ボタンの表示位置が対象表示領域５１内の横方向の中央となるように、拡大後の拡大対応部分４１が拡大表示領域５１に表示される。
【００６４】
また、図１３上図に示すように、拡大対応部分４１のうち「Ｆｏｒｍａｔ３」というソフトウェアボタン（ここでば、第３ボタンと称する）の表示領域に対して拡大操作が行われたとする。図１３上図では、拡大操作のタッチ位置を白丸で示す。ここで、拡大対応部分４１の拡大前の時点では、拡大前の表示領域のうち横方向の前記一方側とは逆側の他方側（右側）の位置に第３ボタンが表示されている。この場合、拡大対応部分４１の拡大表示が行われると、図１３下図に示すように、第３ボタンの表示位置が対象表示領域５１内の横方向の前記他方側となるように、拡大後の拡大対応部分４１が拡大表示領域５１に表示される。
【００６５】
なお、パネル制御部３１は、拡大した対象部分４０を表示させるとき、対象部分４０を徐々に拡大するアニメーション処理をタッチスクリーン３０に行わせる。当該アニメーション処理が行われなくてもよい。
【００６６】
図１０に戻り、ステップＳ３の処理後、ステップＳ４に移行する。ステップＳ４に移行すると、パネル制御部３１は、スクロール操作の受け付けをタッチスクリーン３０に行わせる。タッチスクリーン３０は、拡大後の対象部分４０（対象表示領域５０）をタッチしたままタッチ位置を移動させるタッチ操作をスクロール操作として受け付ける。
【００６７】
パネル制御部３１は、タッチスクリーン３０に対してスクロール操作が行われたことを検知すると、拡大した対象部分４０をスクロールするスクロール処理をタッチスクリーン３０に行わせる。パネル制御部３１は、スクロール操作の移動方向（タッチ位置の移動方向）に基づき、拡大した対象部分４０のスクロール方向を設定する。
【００６８】
たとえば、図１４上図に示すように、拡大対応部分４１のうち「Ｆｏｒｍａｔ１」というソフトウェアボタンの表示領域に対して拡大操作が行われたことによって拡大対応部分４１の拡大表示が行われたとする。「Ｆｏｒｍａｔ１」というソフトウェアボタンの表示領域に対して拡大操作が行われた場合には、拡大対応部分４１のうち横方向の一方側（左側）に位置するボタン群はそれぞれ全部分が表示される。また、拡大対応部分４１のうち横方向の中央に位置するボタン群もそれぞれ全部分が表示される。しかし、拡大対応部分４１のうち横方向の前記一方側とは逆側の他方側（右側）に位置するボタン群についてはそれぞれ一部分しか表示されない。この場合には、右側のボタン群のいずれかのソフトウェアボタンを操作するときの操作性が悪い。このため、スクロール操作の受け付けが行われる。
【００６９】
一例として、「Ｆｏｒｍａｔ３」というソフトウェアボタン（ここでは、対象ボタンと称する）に対する操作をユーザーが行おうとしているとする。この場合には、左方向のスクロール操作（タッチ位置を左方向に移動させるタッチ操作）を行うことにより、拡大後の拡大対応部分４１を左方向にスクロールすることができる。パネル制御部３１は、左方向のスクロール操作が行われたことを検知すると、拡大した拡大対応部分４１を左方向にスクロールさせる。これにより、拡大表示領域５１の表示状態は、図１４上図に示す状態から、図１４中段図に示す状態および図１４下図に示す状態に遷移する。その結果、対象ボタンの全部が表示される。
【００７０】
なお、図１４下図に示す状態から、右方向のスクロール操作（タッチ位置を右方向に移動させるタッチ操作）が行われたとする。この場合、パネル制御部３１は、拡大した拡大対応部分４１を右方向にスクロールさせる。これにより、拡大表示領域５１の表示状態は、図１４下図に示す状態から、図１４中段図に示す状態および図１４上図に示す状態に遷移する。
【００７１】
図１０に戻り、ステップＳ４の処理後、ステップＳ５に移行する。ステップＳ２の処理後も、ステップＳ５に移行する。ステップＳ５に移行すると、パネル制御部３１は、対象部分４０に含まれるソフトウェアボタンの表示領域に対してボタン操作が行われたか否かを判断する。ボタン操作は、対象部分４０に含まれるソフトウェアボタンの表示領域をタップするタップ操作である。
【００７２】
ステップＳ５において、対象部分４０のソフトウェアボタンに対してボタン操作が行われたとパネル制御部３１が判断した場合には、ステップＳ６に移行する。ステップＳ６に移行すると、パネル制御部３１は、ボタン操作を受けたソフトウェアボタンに割り当てられた処理を行う。
【００７３】
ステップＳ５において、対象部分４０のソフトウェアボタンに対してボタン操作が行われていないとパネル制御部３１が判断した場合には、ステップＳ７に移行する。ステップＳ７に移行すると、パネル制御部３１は、予め定められたタッチ操作である復帰操作が行われたか否かを判断する。たとえば、パネル制御部３１は、タッチスクリーン３０の全表示領域のうち、拡大した対象部分４０の表示領域（対象表示領域５０）とは異なる表示領域に対するタッチ操作を復帰操作として検知する。
【００７４】
復帰操作としてのタッチ操作の種類は時に限定されない。対象表示領域５０の領域外に対するタップ操作が復帰操作として受け付けられてもよいし、対象表示領域５０の領域外に対する長押し操作が復帰操作として受け付けられてもよい。対象表示領域５０の領域外の２点を同時にタッチする２点タッチ操作が復帰操作として受け付けられてもよい。後述する報知情報６０が表示されている場合には、対象表示領域５０の領域外のうち、報知情報６０の表示領域外に対するタッチ操作が復帰操作として受け付けられる。
【００７５】
ステップＳ７において、復帰操作が行われたとパネル制御部３１が判断した場合には、ステップＳ８に移行する。一方で、復帰操作が行われていないとパネル制御部３１が判断した場合には、ステップＳ５に移行する。
【００７６】
ステップＳ８に移行すると、パネル制御部３１は、対象部分４０のサイズを初期サイズに戻す復帰指示をタッチスクリーン３０に与える。タッチスクリーン３０は、復帰指示を受けると、初期サイズの対象部分４０を表示する。すなわち、操作画面４００の表示状態が初期状態に戻る。図３および図４に示す表示状態が初期状態である。
【００７７】
＜ユニバーサルデザインモード用画面＞
操作パネル３の表示モードとして、通常モードおよびユニバーサルデザインモードが準備される。すなわち、操作パネル３は、通常モードおよびユニバーサルデザインモードのいずれかの表示モードで表示動作を行う。
【００７８】
パネル制御部３１は、予め定められたモード切替操作が行われたことを検知すると、表示モードを切り替える。たとえば、操作パネル３には、ハードウェアボタンとしてモードボタンＭＤ（図２参照）が設けられる。パネル制御部３１は、モードボタンＭＢに対する押下操作をモード切替操作として検知する。
【００７９】
パネル制御部３１は、表示モードが通常モードのとき、通常モード用画面をタッチスクリーン３０に表示させる。図３および図４に示す操作画面４００は通常モード用画面である。そして、パネル制御部３１は、表示モードが通常モードのとき、モード切替操作が行われたことを検知すると、表示モードをユニバーサルデザインモードに切り替える。
【００８０】
パネル制御部３１は、表示モードがユニバーサルデザインモードのとき、ＵＤ画面６００（図１５参照）をタッチスクリーン３０に表示させる。ＵＤ画面６００は、「ユニバーサルデザインモード用画面」に相当する。ＵＤ画面６００は、ユニバーサルデザインのコンセプトに基づき画面レイアウト（ソフトウェアボタンの数、ソフトウェアボタンの大きさ、ソフトウェアボタンの形状およびソフトウェアボタン色など）がデザインされた画面である。
【００８１】
ＵＤ画面６００は種々ある。そのうちの１つを図１５に示す。以下、図１５に示すＵＤ画面６００に符号６０１を付す。
【００８２】
ＵＤ画面６０１には、操作画面４０１（図３参照）の拡大対応部分４２に含まれる画面要素（複数のソフトウェアボタン）が配される。すなわち、ＵＤ画面６０１は、操作画面４０１の拡大対応部分４２に対応する画面である。ＵＤ画面６０１の各ソフトウェアボタンは、操作画面４０１の拡大対応部分４２の各ソフトウェアボタンよりも大きいサイズを有する。したがって、操作画面４０１の拡大対応部分４２のいずれかのソフトウェアボタンに対してタッチ操作を行う場合には、操作画面４０１に代えてＵＤ画面６０１を表示することにより、操作性が良くなる。
【００８３】
そこで、パネル制御部３１は、拡大操作が行われたことを検知すると、対象部分４０に対応するＵＤ画面６００が存在するか否かを判断する。対象部分４０に対応するＵＤ画面６００が存在する場合、パネル制御部３１は、対象部分４０に対応するＵＤ画面６００が存在することをユーザーに報知する報知処理を行う。パネル制御部３１は、報知処理として、対象部分４０に対応するＵＤ画面６００が存在することを示す報知情報６０（図１６参照）をタッチスクリーン３０に表示させる処理を行う。
【００８４】
たとえば、操作画面４０１の拡大対応部分４１には、対応するＵＤ画面６００が存在しない。このため、拡大対応部分４１に対して拡大操作を行っても、対応するＵＤ画面６００が存在する旨の報知は行われない。一方で、操作画面４０１の拡大対応部分４２には、対応するＵＤ画面６００（６０１）が存在する。したがって、拡大対応部分４２に対して拡大操作を行うと、対応するＵＤ画面６００が存在する旨の報知が行われる。
【００８５】
パネル制御部３１は、操作画面４０１の拡大対応部分４２に対して拡大操作が行われたことを検知すると、拡大した拡大対応部分４２をタッチスクリーン３０に表示させる。拡大後の拡大対応部分４２が表示された状態を図１６に示す。そして、このとき、パネル制御部３１は、タッチスクリーン３０に報知情報６０を表示させる。タッチスクリーン３０の全表示領域のうち、拡大後の拡大対応部分４２の表示領域（対象表示領域５０）とは異なる表示領域に報知情報６０が表示される。
【００８６】
なお、報知情報６０の形態は特に限定されない。報知情報６０がテキスト画像であってもよいし、報知画像６０が図形画像（たとえば、ボタン画像）であってもよい。また、対応するＵＤ画面６００が存在することを示すメッセージを報知情報６０として所定のメッセージ領域に表示してもよい。
【００８７】
また、報知情報６０の表示領域に対して画面切替操作が行われた場合、対象部分４０に対応するＵＤ画面６００を表示してもよい。たとえば、タッチスクリーン３０は、報知情報６０の表示領域に対する定められたタッチ操作（タップ操作でもよいし、長押し操作でもよい）を画面切替操作として受け付ける。パネル制御部３１は、画面切替操作が行われたことを検知すると、対象部分４０に対応するＵＤ画面６００をタッチスクリーン３０に表示させる。
【００８８】
パネル制御部６０は、タッチスクリーン３０に報知情報６０を表示させて以降、復帰操作が行われたことを検知すると、報知情報６０の表示を停止させる。報知情報６０の表示が停止された場合には、モードボタンＭＢに対して押下操作を行うことにより、ＵＤ画面６００を表示させることができる。
【００８９】
本実施形態の操作パネル３（表示入力装置）は、上記のように、予め複数の画面部分に区分けされた操作画面４００を表示し、操作画面４００に対するタッチ操作をユーザーから受け付けるタッチスクリーン３０と、操作画面４００の複数の画面部分のうち拡大可能な画面部分として予め設定された拡大対応部分４０に対して、予め定められたタッチ操作である拡大操作が行われたことを検知すると、拡大操作が行われた拡大対応部分４０を対象部分と認識し、初期サイズよりも大きいサイズに拡大した対象部分４０をタッチスクリーン３０に表示させるパネル制御部３１（制御部）と、を備える。
【００９０】
本実施形態の構成では、いずれかの拡大対応部分４０に対して拡大操作を行うと、拡大操作を行った拡大対応部分４０（対象部分４０）が拡大表示される。対象部分４０に複数のソフトウェアボタが含まれている場合には、当該複数のソフトウェアボタンが全て拡大表示される。すなわち、拡大操作を１回行うだけで、複数のソフトウェアボタンを一括して拡大表示することができる。これにより、操作画面４００のソフトウェアボタン（画面要素）を拡大表示するときの利便性が向上する。
【００９１】
ここで、操作画面４００は、同じ種類のソフトウェアボタン（画面要素）が同じ画面部分に含まれるよう区分けされる。たとえば、拡大対応部分４１の複数のソフトウェアボタンは全て、ファイル形式の設定を受け付けるソフトウェアボタンである。すなわち、拡大対応部分４１の複数のソフトウェアボタンは全て、同じ種類のソフトウェアボタンである。これにより、或る拡大対応部分４０に対して拡大操作を行うと、同じ種類のソフトウェアボタンを全て拡大表示することができるので、ユーザーにとっては利便性が良い。
【００９２】
また、本実施形態では、上記のように、パネル記憶部３２（記憶部）は、拡大対応部分４０に対応する拡大表示領域５０を拡大対応部分４０ごとに定義した領域情報３３を記憶する。パネル制御部３１は、対象部分４０に対応する拡大表示領域５０を対象表示領域と認識し、拡大した対象部分４０を対象表示領域５０に表示させる。この構成では、拡大後の対象部分４０が不適切な領域（たとえば、エラーメッセージの表示領域）に表示されるのを抑制することができる。仮に、拡大後の対象部分４０がエラーメッセージの表示領域に表示されると、エラーが発生しても、当該発生したエラーの内容をユーザーに報知することができないという不都合が生じる。
【００９３】
また、本実施形態では、上記のように、拡大対応部分４０は、縦方向に平行な一対の辺および縦方向と直交する横方向に平行な一対の辺を有する矩形状である。また、拡大表示領域５０は、対応する拡大対応部分４０よりも大きい面積を有する領域である。さらに、拡大表示領域５０は、対応する拡大対応部分４０の拡大前の表示領域の縦方向に平行な１辺と重畳する辺および対応する拡大対応部分４０の拡大前の表示領域の横方向に平行な１辺と重畳する辺を有する矩形状の領域である。この構成では、拡大後の対象部分４０が拡大前の表示領域から大きくずれた領域に表示されることはない。これにより、拡大後の対象部分５０がどこに表示されているかが直ぐに分かるので、ユーザーにとっては利便性が良い。
【００９４】
また、本実施形態では、上記のように、対象部分４０の縦横比と対象表示領域５０の縦横比とが同じ場合、パネル制御部３１は、縦方向の幅が対象表示領域５０の縦方向の幅と同じとなり、かつ、横方向の幅が対象表示領域５０の横方向の幅と同じとなるよう拡大した対象部分４０の全部を対象表示領域５０に表示させる。これにより、拡大操作を行って以降、別途操作を行わなくても、対象部分４０の全てのソフトウェアボタンを確認することができるので、ユーザーにとっては利便性が良い。
【００９５】
また、本実施形態では、上記のように、対象部分４０の縦横比と対象表示領域５０の縦横比とが異なる場合、パネル制御部３１は、対象部分４０の縦横比を変えることなく、縦方向および横方向のうち第１方向の幅が対象表示領域５０の第１方向の幅と同じとなり、かつ、縦方向および横方向のうち第１方向とは別の第２方向の幅が対象表示領域５０の第２方向の幅よりも大きくなるよう拡大した対象部分４０の一部を対象表示領域５０に表示させる。このとき、パネル制御部３１は、拡大した対象部分４０の第２方向に平行な一対の辺をそれぞれ対象表示領域５０の第２方向に平行な一対の辺と重畳させ、拡大した対象部分４０のうち対象表示領域５０からはみ出る部分を非表示にさせる。この構成では、対象部分４０の縦横比と対象表示領域５０の縦横比とが異なっていても、拡大後の対象部分４０の縦横比は変わらないので、拡大後の対象部分４０が見易くなる。
【００９６】
また、本実施形態では、上記のように、対象部分４０の縦横比と対象表示領域５０の縦横比とが異なる場合（拡大後の対象部分４０のうち対象表示領域５０からはみ出る部分が非表示となっている場合）、パネル制御部３１は、対象部分４０のうち拡大操作でタッチされたタッチ部分を認識し、拡大した対象部分４０のうち少なくともタッチ部分を対象表示領域５０に表示させる。この構成では、拡大対応部分４０のうちユーザー所望の部分に対して拡大操作を行えば、少なくともユーザー所望の部分については非表示になることはない。
【００９７】
また、本実施形態では、上記のように、対象部分４０の縦横比と対象表示領域５０の縦横比とが異なる場合（拡大後の対象部分４０のうち対象表示領域５０からはみ出る部分が非表示となっている場合）、パネル制御部３１は、拡大した対象部分４０をタッチしたままタッチ位置を移動させるタッチ操作であるスクロール操作の受け付けをタッチスクリーン３０に行わせ、スクロール操作が行われたことを検知すると、拡大した対象部分４０をスクロールするスクロール処理をタッチスクリーン３０に行わせる。この構成では、対象部分４０のうち非表示となっている部分を表示させることができる。
【００９８】
また、本実施形態では、上記のように、パネル制御部３１は、拡大した対象部分４０をタッチスクリーン３０に表示させるとき、対象部分４０を徐々に拡大させる。たとえば、対象部分４０が瞬時に拡大されると、ユーザーによっては戸惑う場合がある。このため、対象部分４０を徐々に拡大するのが好ましい。
【００９９】
また、本実施形態では、上記のように、パネル制御部３１は、対象部分４０に対応するＵＤ画面６００（ユニバーサルデザインモード用画面）が存在する場合、ＵＤ画面６００が存在することを示す報知情報６０をタッチスクリーン３０に表示させる。これにより、対象部分４０に対応するＵＤ画面６００が存在することをユーザーに認識させることができる。
【０１００】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０１】
３  操作パネル（表示入力装置）
３０  タッチスクリーン
３１  パネル制御部（制御部）
３２  パネル記憶部（記憶部）
３３  領域情報
４０  拡大対応部分
５０  拡大表示領域
６０  報知情報
１００  画像形成装置
４００  操作画面
６００  ＵＤ画面（ユニバーサルデザインモード用画面）
【図１】
2020181304.tif 000003
【図２】
2020181304.tif 000004
【図３】
2020181304.tif 000005
【図４】
2020181304.tif 000006
【図５】
2020181304.tif 000007
【図６】
2020181304.tif 000008
【図７】
2020181304.tif 000009
【図８】
2020181304.tif 000010
【図９】
2020181304.tif 000011
【図１０】
2020181304.tif 000012
【図１１】
2020181304.tif 000013
【図１２】
2020181304.tif 000014
【図１３】
2020181304.tif 000015
【図１４】
2020181304.tif 000016
【図１５】
2020181304.tif 000017
【図１６】
2020181304.tif 000018